(57)【要約】【課題】  カード購入者が、自分が購入したカードの利用状況を把握できるようにする。【解決手段】  カードＩＤを記録したカード１と、データ処理部３と、カードデータ記憶部４とからなり、上記データ処理部３は、カードＩＤに、贈り物金額特定情報、サブＩＤ、カード有効期限、カード使用済み情報などを対応付けてカードデータ記憶部４に登録する機能と、上記カードデータ記憶部４が記憶しているデータのうち、カード有効期限が過ぎたカードＩＤを無効にするとともに、無効であって未使用のカードのカードＩＤに対応する贈り物金額特定情報を、サブＩＤに基づいてのみ出力する機能を備えた。【選択図】  図１
2008110540.tif 000002
【特許請求の範囲】
【請求項１】
個別のカードＩＤを記録したカードと、データ処理部と、カードＩＤに対応付けた情報を記憶するカードデータ記憶部とからなり、上記データ処理部は、販売済みカードのカードＩＤを特定し、そのカードＩＤに、入力された金品などの贈り物を特定する贈り物金額特定情報を対応付ける機能と、上記贈り物金額特定情報を対応付けた１または複数のカードＩＤごとに、カード購入者に対して発行するサブＩＤを対応付ける機能と、上記カードごとのカード有効期限を設定して、上記カードＩＤに対応付ける機能と、これら贈り物金額特定情報、サブＩＤおよびカード有効期限を、カードＩＤに対応付けてカードデータ記憶部に記憶させる機能と、上記カードＩＤを指定して入力されたカード使用済み信号をカードデータ記憶部のカードＩＤに対応付けて登録する機能と、上記カード有効期限が経過したとき、対応するカードＩＤを無効とするとともに、無効にしたカードＩＤに対応する情報をサブＩＤに基づいてのみ提示する機能と、カード使用済み信号が対応付けられていない未使用カードのカードＩＤであって、上記カード有効期限が経過したカードＩＤに対応付けられた贈り物金額特定情報を出力する機能とを備えたカードシステム。
【請求項２】
上記データ処理部は、上記未使用カードのカードＩＤであって、有効期限が経過したカードＩＤに対応する贈り物金額特定金額を、上記サブＩＤごとに合計して出力する機能を備えた請求項１に記載のカードシステム。
【請求項３】
上記データ処理部は、カードＩＤに対応する宛名情報がカードデータ記憶部に登録されていないことを宛名情報受け付け条件として、上記宛名情報受け付け条件を満足していると判定した場合に、入力される宛名情報を、変更禁止状態にしてカードＩＤに対応付けてカードデータ記憶部に登録する機能を備えた請求項１または２に記載のカードシステム。
【請求項４】
上記データ処理部は、販売済みカードのカードＩＤを特定したとき、そのカードＩＤに、宛名情報受付期限を設定し、上記購入者端末からの宛名情報の受信時がこの宛名情報受付期間内であることを、上記宛名情報受付条件に付加する請求項３に記載のカードシステム。
【発明の詳細な説明】
【技術分野】
【０００１】
この発明は、ＩＤを備えたカードを元にして、贈呈者から受贈者へ現金や商品、あるいは、情報などを贈ることができるようにしたカードシステムに関する。
【背景技術】
【０００２】
従来から、ＩＤを備えたカードを基にして、商品あるいはサービスの提供を受けたり、現金の決済を行なったりするカードシステムが知られていた。このカードシステムは、当該カードが提示されたとき、そのカードに化体された商品やサービスの提供が実行されるようにしていた。
【０００３】
このように、カードを利用して商品などを贈ることができるシステムとして、例えば、特許文献１に記載のシステムがある。
このシステムでは、図３に示すように、一枚一枚のカード１に特有のカードＩＤと、通信用のＵＲＬとを表示した二次元コード２が印刷されたカード１を用いている。上記ＵＲＬは、センターサーバーにアクセスするためのＵＲＬであり、このセンターサーバーでは、上記カードＩＤに対応付けて、様々な情報を登録するようにしている。
【０００４】
そして、上記カード１によって交換できる商品や金額などの情報を、カードＩＤに対応付けて上記センターサーバーに記憶させておき、このカード１を、カード購入者から受け取った受け取り者は、このカード１のカードＩＤを基にして、商品やサービスの提供を受けることができる。
例えば、特許文献１に記載のカードシステムでは、最終的にカード１を受け取った受け取り者がカード１を利用する時点で、このカード１のカードＩＤに対応させて、予め決められた必要情報が全て上記センターサーバーに登録されているかどうかを確認し、登録されていた場合に、そのカード１が正規のものと判断して、金品やサービスの提供などの処理が実行されるようにしている。
【０００５】
つまり、上記カードを、カードの購入者が贈呈者として、商品や現金などを贈る相手である受け取り者へ送れば、この受け取り者が受け取ったカードを利用して、商品やサービスの提供を受けることができる。結果として、商品やサービスが、贈呈者から受け取り者へ贈られたとみなすことができるので、特定の相手へ贈り物をするカードシステムとして使用することができる。
【特許文献１】特開２００６−１９２６８１号公報
【発明の開示】
【発明が解決しようとする課題】
【０００６】
上記のようなカードシステムでは、贈呈者からのカードが正規のユーザーへ届き、その過程で必要情報が登録されていれば、受け取り者は、カードを利用して、金品や、情報などを受け取ることができる。そして、そのカードが利用される際には、カードＩＤによってサーバーへアクセスして、そのカードの正当性を確認することができる。
しかし、カードの送り手である贈り物の贈呈者は、自身がカードを送った相手が、カードを受け取り、そのカードを利用したかどうかを確認できないことがある。
【０００７】
親しい間柄ならば、カードを利用したかどうか確認することが可能な場合も有るし、受け取り者が、お礼の連絡をしてくることも考えられる。
しかし、例えば、企業が多数の消費者に対して、プレゼントをするためにこのカードシステムを利用した場合などは、受け取り者からの連絡は期待できないし、送り先にいちいち問い合わせることもできない。そのため、カード購入者は送ったカードがどれだけ有効に利用されたのかを確認することができなかった。
【０００８】
この発明の目的は、カードを利用して贈り物をするためのカードシステムにおいて、受け取り者へ送ったカードが、最終的にどれだけ利用されたのか、送り主が簡単に確認できるカードシステムを提供することである。
【課題を解決するための手段】
【０００９】
第１の発明は、個別のカードＩＤを記録したカードと、データ処理部と、カードＩＤに対応付けた情報を記憶するカードデータ記憶部とからなり、上記データ処理部は、販売済みカードのカードＩＤを特定し、そのカードＩＤに、入力された金品などの贈り物を特定する贈り物金額特定情報を対応付ける機能と、上記贈り物金額特定情報を対応付けた１または複数のカードＩＤごとに、カード購入者に対して発行するサブＩＤを対応付ける機能と、上記カードごとのカード有効期限を設定して、上記カードＩＤに対応付ける機能と、これら贈り物金額特定情報、サブＩＤおよびカード有効期限を、カードＩＤに対応付けてカードデータ記憶部に記憶させる機能と、上記カードＩＤを指定して入力されたカード使用済み信号をカードデータ記憶部のカードＩＤに対応付けて登録する機能と、上記カード有効期限が経過したとき、対応するカードＩＤを無効とするとともに、無効にしたカードＩＤに対応する情報をサブＩＤに基づいてのみ提示する機能と、カード使用済み信号が対応付けられていない未使用カードのカードＩＤであって、上記カード有効期限が経過したカードＩＤに対応付けられた贈り物金額特定情報を出力する機能とを備えた点に特徴を有する。
【００１０】
なお、上記サブＩＤは、販売済みのカードＩＤの個々に１対１で対応付けるようにしてもよいし、複数のカードＩＤに対して一つのサブＩＤを対応付けるようにしてもよい。例えば、特定のカード購入者が、一度に販売した複数枚のカードのカードＩＤにまとめて１つのサブＩＤを対応付けたり、カード購入時に対応付けた贈り物特定金額ごとにサブＩＤを対応付けたりしてもよい。
【００１１】
ただし、上記サブＩＤはカード購入者に対して発行するＩＤで、上記サブＩＤを記録したレシートなどの記録媒体を発行して購入者に渡したり、購入者の端末に電子データとして送信したりする。要するに、発行したサブＩＤは、必要なときに読み出すことができる状態で、カード購入者に保持されればよい。そして、複数のカードを購入したカード購入者に対しては、１または複数のサブＩＤが発行されるが、複数のカード購入者に、同一のサブＩＤが発行されることはない。
【００１２】
また、未使用カードのカードＩＤであって、上記カード有効期限が経過したカードＩＤに対応付けられた贈り物金額特定情報を出力するとは、未使用カードに対応した贈り物金額特定情報がどれなのか分かるようにして出力するということであり、必ずしも、未使用カードに対応した贈り物金額特定情報のみが出力されるようにしなくてもよい。例えば、未使用カードに対応したカードＩＤや贈り物金額特定情報にマークなどを付けて、他のカードＩＤの情報とともに出力してもよい。
なお、カード有効期限が経過して、カードＩＤが無効になるとは、カードＩＤを用いたカードの利用ができないということであり、カードの受け取り者が、そのカードＩＤによって贈り物を受け取ることや、カードＩＤに情報を対応付けることができなくなるということである。
【００１３】
第２の発明は、第１の発明を前提とし、上記データ処理部は、上記未使用カードのカードＩＤであって、有効期限が経過したカードＩＤに対応する贈り物金額特定金額を、上記サブＩＤごとに合計して出力する機能を備えた点に特徴を有する。
【００１４】
第３の発明は、第１、第２の発明を前提とし、上記データ処理部は、カードＩＤに対応する宛名情報がカードデータ記憶部に登録されていないことを宛名情報受け付け条件として、上記宛名情報受け付け条件を満足していると判定した場合に、入力される宛名情報を、変更禁止状態にしてカードＩＤに対応付けてカードデータ記憶部に登録する機能を備えた点に特徴を有する。
【００１５】
第４の発明は、第３の発明を前提とし、上記データ処理部は、販売済みカードのカードＩＤを特定したとき、そのカードＩＤに、宛名情報受付期限を設定し、上記購入者端末からの宛名情報の受信時がこの宛名情報受付期間内であることを、上記宛名情報受付条件に付加する点に特徴を有する。
【発明の効果】
【００１６】
第１〜第４の発明では、カード購入者に対して発行したサブＩＤをカードデータ記憶部に登録しておき、カードＩＤの有効期限が過ぎたときに、カード購入者が、上記サブＩＤによってカードの状況を知ることができるので、自分の送ったカードの利用状況を把握することがでる。特に、送ったのに、利用されなかった贈り物金額が分かりやすい。
例えば、企業などが、多数の相手にカードを送った場合には、どれだけのカードが有効利用されたかを把握することができるとともに、カードを利用しなかった相手を特定し、自社に友好的でない者を知ることもできる。
【００１７】
また、カード購入者が贈り物を対応付けて購入したカードのうち、利用されず、受け取り者へ贈り物が届かなかったカードを、サブＩＤを用いて特定するとともに、そのカードに対応した贈り物金額を特定することもできる。そのため、贈り物用に使われなかった代金を購入者へ返却したり、新たに贈り物用として利用したりすることもできる。
さらに、カード有効期限を設定することによって、カード購入者からの贈り物が、必要なタイミングで受け取り者へ届きやすくできる。もしも、カードの有効期限がなければ、購入者が特定した贈り物をいつでも配送できるようにしておかなければならないが、有効期限が設定されていれば、そのような不都合も発生しない。
【００１８】
第２の発明によれば、カード購入者は、利用されず、受け取り者へ贈り物が届かなかったカードに対応した贈り物金額の合計を、簡単に知ることができる。
【００１９】
第３の発明では、贈り物の送り先である宛名情報を、一旦登録したら変更できないようにしているので、カード購入者が宛名情報を登録した後、例えば、カードの配達経路でカードが盗まれるようなことがあっても、贈り物の受け取り者は、予め登録された宛名情報で特定され、不正にカードを入手した者が贈り物を手に入れることはない。
【００２０】
また、第４の発明では、宛先入力期限を設けているので、カード購入者が宛先情報を登録する前に、カードを盗まれてしまうようなことがあったとしても、入力期限内でなければ、宛先情報を受け付けられず、カードの不正使用を減らすこともできる。つまり、カード購入者は、購入した個々のカードに速やかに宛名情報を対応付けて登録するようにすれば、不正者に贈り物を横取りされる危険はなくなる。
【発明を実施するための最良の形態】
【００２１】
図１、２に、この発明の一実施形態を示す。
この実施形態のカードシステムは、図１に示すように、データ処理部３と、これに接続したカードデータ記憶部４および商品情報記憶部５とを備えたサーバーＳと、このサーバーＳにインターネットなどを介して接続可能な端末６，７，８とからなる。そして、上記サーバーＳは、このシステムの運用者が管理するサーバーで、例えば、管理センターに設置する。
【００２２】
また、このカードシステムでは、図３に示すカード１を用いるが、このカード１に表示された二次元コード２には、カード１のカードＩＤと、サーバーＳにアクセスするためのＵＲＬが含まれている。ただし、カード１には、二次元コード２の代わりに、カードＩＤやＵＲＬをそのまま表示してもよいし、両者を同時に表示してもよい。そして、上記ＵＲＬとカードＩＤとを用いてサーバーＳにアクセスすると、カードに対応付ける種々の情報を登録するための登録画面が、端末６，７，８に表示されるようにしている。
【００２３】
なお、このシステムでは、上記カード１を郵便はがきとし、その購入者が、特定の受け取り者に対し、贈り物を設定したカード１を郵送すると、このカード１を受け取った受け取り者に贈り物が配達されるようにしている。
ただし、この実施形態では、カード購入者が、受け取り者へ贈る個々の商品を特定するのではなく、複数の商品の中から受け取り者に欲しい商品を選択させるようにする。例えば、カード購入者は、贈り物とする個々の商品を特定するのではなく、贈りたい金額を指定し、その金額で提供可能な商品のグループから受け取り者が商品を選択できるようにする。上記提供可能な商品に関する情報は、予め、上記サーバーＳの商品情報記憶部５に、金額ごとの商品グループとして記憶させている。
【００２４】
また、上記サーバーＳのカードデータ記憶部４は、このシステムで用いる個々のカード１の情報を記憶させる記憶部であり、各カード１に設定されたカードＩＤごとに、必要な情報を対応付けて記憶する。そのため、カードデータ記憶部４には、予め、発行済みのカードＩＤに、上記必要情報を登録するための情報登録欄を対応付けて記憶させおくようにする。
情報登録欄としては、例えば、図２のテーブルに示すものがある。詳細は、後で説明するが、カードＩＤごとに、カードで贈る商品の商品金額、サブＩＤ、販売日、宛名入力期限、カード有効期限、宛名情報、商品選択信号などを登録する情報登録欄を、情報項目ごとに備えている。
【００２５】
さらに、上記カード１が、販売元から販売され、さらに、ユーザーへ販売される過程で、上記各発行済みカードＩＤに、流通元業者や、カード販売店などの業者ＩＤを対応付けて登録する登録欄を備えて、業者ＩＤを登録するようにしてもよく、このようにすれば、カードの流通過程を後から確認することもできる。
そして、カード１が、カード発行者から販売された後、上記各端末６，７，８からカード１に関連する情報がサーバーＳに入力されたとき、データ処理部３が、入力された各情報を上記対応する情報登録欄に登録するようにしている。
【００２６】
なお、ここでは、カードデータ記憶部４に、カードＩＤに対応付ける情報の項目ごとに、情報登録欄を予め設定しているが、情報項目ごとの登録欄は、予め設定しないで、新たな情報が入力されるたびに、新たな登録欄を生成するようにしてもよい。
また、上記各端末６，７，８は、それぞれ、カード１の販売店で用いる販売店端末、カード購入者が使用する購入者端末、カード１の受け取り者が使用する受け取り者端末であり、いずれの端末も、上記カード１に印刷された二次元コード２を読み取る機能と、読み取った二次元コードに含まれるＵＲＬを用いてサーバーＳにアクセスする機能を備えている。ただし、カード１に表示されたカードＩＤやＵＲＬを手入力で、サーバーＳへアクセスするようにしてもよい。
【００２７】
以下に、このカードシステムを利用して、カード購入者であるユーザーＡが、特定の相手に商品を贈る例を用いて、上記データ処理部３の処理機能を説明する。なお、ユーザーＡからの贈り物を受け取る受け取り者をユーザーＢとして説明する。
初めに、カード購入者であるユーザーＡから、受け取り者であるユーザーＢへ、贈り物が渡る大まかな流れを説明する。まず、ユーザーＡが、ユーザーＢの宛名情報をサーバーＳに登録するとともに、そのカードをユーザーＢへ郵送する。そのカード１を受け取ったユーザーＢは、カード１の二次元コード２を読み取って、サーバーＳへアクセスすると、商品情報が提示される。表示された商品情報の中から、ユーザーＢが希望商品を選択すると、その商品がユーザーＢの元へ送られる。
【００２８】
この流れを、詳細に説明すると以下の通りである。
ユーザーＡは、カードを購入する際に、カード１を介して贈り物にしたい商品の金額を指定し、その商品代とカード代金との合計金額を販売店に支払う。例えば、個々のカード１で５０００円の商品を贈ると決めた場合、カード販売店では、端末６によって販売した各カードからカードＩＤを読み取りながら、上記商品金額の「５０００円」を、この発明の贈り物金額特定情報として入力する。
【００２９】
また、販売店では、カードの販売時に、カードの郵送代を含むカード代金と商品金額との合計金額をユーザーＡから受け取り、レシートを発行する。なお、上記レシートは、カード販売店で、ユーザーＡが支払った全金額に対するものであってもよいし、カード代金と、贈り物金額とを別々のレシートとしてもよい。
端末６は、レシートに、次に説明するサブＩＤを二次元コードなどにして表示させる。ただし、レシートに表示した二次元コードには、サーバーへアクセスするためのＵＲＬも含んでいる。
【００３０】
上記サブＩＤは、レシートごと、すなわち販売単位ごとに設定し、カード購入者に対し発行するＩＤである。ここでは、ユーザーＡが５０００円の商品を対応付けた１０枚のカード１の購入に対してのレシートに、サブＩＤを含んだ二次元コードを印刷しているが、サブＩＤは、レシートに印刷したものでなくてもよい。例えば、ユーザーＡが使用する端末７に電子メールを利用して送信してもよい。要するに、このサブＩＤは、カードを購入したユーザーＡの元に届き、このユーザーＡが必要なときに提示できるようになっていればよい。
【００３１】
上記のように、カード販売時には、端末６によって販売したカードのカードＩＤを読み取るとともに、商品金額と、サブＩＤ、例えば「Ｓ０１」とを、サーバーＳへ送信する。上記サブＩＤは、レシート単位で、サーバーＳが発行したもので、例えば、サブＩＤが表示されたレシート用紙を予めカード販売店に用意しておけば、販売店では、販売したカードに対応するレシートを発行する際に、端末６によってそのレシートのサブＩＤを読み取ってそれをサーバーＳへ送信し、サブＩＤをカードＩＤと対応付けることができる。
上記カードＩＤと、商品金額と、サブＩＤとを、端末６から受信したサーバーＳでは、データ処理部３が、カードデータ記憶部４において、受信したカードＩＤに対応する商品金額の登録欄に、受信した商品金額を登録し、サブＩＤ登録欄に受信したサブＩＤを登録する。
【００３２】
ユーザーＡが、カードＩＤ「Ｃ００１」〜「Ｃ０１０」の１０枚のカードに５０００円を対応付けて購入した場合には、図２に示すように、カードＩＤ「Ｃ００１」〜「Ｃ０１０」に対応する商品金額欄には、それぞれ「５０００円」が登録される。ここでは、ユーザーＡが購入した１０枚のカード全てに同じ商品金額を対応付けているが、カードごとに異なる金額を対応付けてもよい。また、カードＩＤ「Ｃ００１」〜「Ｃ０１０」に対応する全てのサブＩＤ登録欄に、サブＩＤ「Ｓ０１」を登録する。
【００３３】
なお、カード販売店では、販売したカードの一枚一枚から、カードＩＤを読み取ってサーバーＳへ送信してもよいが、複数のカードを同時に販売する際には、次のようにすることもできる。販売店では、未販売のカードをカードＩＤ順に管理し、サーバーＳでは、発行済みカードＩＤを記憶しておけば、販売店の端末６は、全てのカードＩＤを読み取って送信しなくても足りる。例えば、連番の１枚目のカードＩＤ、「Ｃ００１」と、販売枚数１０枚、商品金額「５０００円」とを、送信すれば、サーバーＳのデータ処理部３が、販売済みのカードＩＤを、カードＩＤ「Ｃ００１」〜「Ｃ０１０」と特定し、これらのカードＩＤに商品金額およびサブＩＤを対応付けて登録することができる。
【００３４】
さらに、データ処理部３は、上記商品金額の入力をカードの販売時とみなし、カードＩＤに対応する販売日登録欄に販売日を登録する。そして、データ処理部３は、この販売日を基準にして宛名入力期限およびカード有効期限を算出し、それぞれの情報登録欄に登録する。
上記宛名入力期限とは、カードを購入したユーザーＡが、贈り物を贈る相手の住所、氏名などの宛名情報を入力可能な期限のことである。ここでは、販売日から３日以内に宛名情報を入力しなければならない例を示している。そのためデータ処理部３が、販売日から３日後の期限を特定してカードデータ記憶部４にカードＩＤに対応付けて記憶させる。
【００３５】
また、カード有効期限とは、販売されたカード１を贈り物用として利用できる期限である。ここでは、カードの有効期間を、カードの販売日から２ヶ月間とし、データ処理部３は、販売日から２ヶ月後のカード有効期限を特定して、カードＩＤに対応付けて記憶させる。このカード有効期限は、カード１が、贈り物を設定されたカードとして利用可能な期限である。従って、カードを受け取ったユーザーＢは、この期限内に希望送品を選択しなければ、贈り物を受け取ることはできない。そこで、この有効期限は、カードに記載するなどして、あらかじめ、受け取り者へ知らせておく必要がある。
【００３６】
ただし、記宛名入力期限およびカード有効期限の決め方は、この実施形態に限らず、どのように決めてもかまわない。
以上のように、カード１の販売時には、販売されたカードのカードＩＤに、サブＩＤ、販売日、宛名入力期限、カード有効期限が対応付けて登録される。なお、図２には、カードの販売日を１０月１日とした例を示している。
【００３７】
カードを購入したユーザーＡは、自分が購入したカード１に商品の送り先である宛名情報を対応付けるための作業を行なう。
具体的には、端末７を用いてカード１の二次元コード２を読み取り、読み取ったＵＲＬを用いてサーバーＳにアクセスする。端末７がサーバーＳにアクセスすると、端末７には、情報の登録画面が表示される。そこで、ユーザーＡが、二次元コードから読み取ったカードＩＤをサーバーＳへ送信しながら、宛名情報の登録画面を選択すると、データ処理部３は、受信したカードＩＤを、カードデータ記憶部４で検索し、そのカードＩＤに対応する情報登録欄を特定する。このとき、受信したカードＩＤが、カードデータ記憶部４になければ、そのカードＩＤは正規のものではないので、その旨を端末７に表示させて、以降の処理を中止する。
【００３８】
上記カードＩＤが登録されていた場合には、宛名情報登録欄に宛名情報が登録済みか否かを確認し、未登録の場合には、宛名入力期限内であるか否かを確認する。そして、宛名情報が未登録であって、かつ、宛名入力期限が過ぎていない場合にのみ、宛名情報を受け付けるようにする。つまり、宛名情報が未登録であり、かつ宛名入力期限が過ぎていないという宛名情報受け付け条件を満たしていると判断したときに、宛名入力欄を端末７に表示させるなどして、端末７からの宛名情報を受信し、その宛名情報を、先に受信したカードＩＤに対応した宛名情報登録欄に登録する。そして、登録した宛名情報を変更できないようにする。
つまり、贈り物の送り先となる宛名情報は、宛名入力期限内に、一度しか登録できないのである。
【００３９】
ユーザーＡは、サーバーＳに宛名情報を登録したら、カード１を、それぞれ登録した宛名情報の宛先に郵送する。そして、ユーザーＡが郵送したカード１の１枚をユーザーＢが受け取ったものとする。
ユーザーＢは、ユーザーＡから受け取ったカード１の二次元コード２を自分の端末８で読み取って、読み取ったＵＲＬによってサーバーＳへアクセスするとともに、二次元コード２から読み取ったカードＩＤで情報提示を要求する。
【００４０】
サーバーＳのデータ処理部３は、端末８からのアクセスに応じて情報登録画面を表示するとともに、受信したカードＩＤに基づいて、カードデータ記憶部４に登録されている情報を特定する。そして、上記カードＩＤに対応付けられたカード有効期限欄の情報から、カードの有効期限内であるか否かを判定し、有効期限内である場合にのみ、以下の処理を行なうが、カード有効期限が切れていた場合には、その旨を、上記端末８に表示させるとともに、カードが無効である無効フラグをカードＩＤに対応付けた、図示しない無効欄に登録する。
ただし、この実施形態のように、端末８からのアクセスがあったときに、カードの有効期限を判定するのではなく、端末からのアクセスには関係なく、データ処理部３が、カードデータ記憶部４が記憶している情報を、所定のタイミングでチェックして、カード有効期限が経過したカードＩＤに無効フラグなどを対応付けるようにしてもよい。
【００４１】
カード有効期限内である場合、データ処理部３は、そのカードＩＤに対応する商品金額登録欄、宛名情報欄に、それぞれ必要情報が登録されていて、かつ、商品選択情報が未登録であることを商品選択情報の受け付け条件として、その条件を満たしているか否かを判定する。
上記受け付け条件を満たしていた場合には、データ処理部３は、商品金額登録欄に登録されている金額、例えば「５０００円」の商品グループの商品情報を、商品情報記憶部５から抽出し、その情報を提示するとともに、その中から希望商品を選択させる画面を、ユーザーＢが使用する端末８に表示させる。
【００４２】
ユーザーＢが、端末８の画面から希望商品を選択すると、商品選択信号がサーバーＳへ送信され、データ処理部３は、受信した商品選択信号を上記カードＩＤに対応する商品選択信号登録欄に登録する。
さらに、上記商品選択信号で特定された商品と、宛名情報とを対応付けて出力し、図示しない商品配送システムへ送信する。この商品配送システでは、指定された商品を、上記宛名情報で特定される受け取り者、すなわち、ユーザーＢの元へ配達する。
以上で、カード購入者であるユーザーＡから受け取り者であるユーザーＢへ、特定の商品が贈られることになる。
【００４３】
この実施形態では、上記商品金額が、この発明の贈り物金額特定情報であり、商品選択信号がカード使用済み信号である。そして、この商品選択信号が対応付けて登録されていないカードＩＤが、未使用カードのカードＩＤである。
また、贈り物として提示する商品情報を、金額だけでなく、食品、雑貨、・・・など、商品ジャンルで分類するようにしてもよい。その場合には、贈り物金額特定情報は、金額と、商品ジャンルの両方を特定する情報となる。
【００４４】
また、受け取り者が商品を選択するのではなく、贈り主が決めた送品を贈るようにすることもできる。その場合には、その商品を特定する商品特定情報が、贈り物金額特定情報である。そして、カード１を受け取った受け取り者は、商品選択をする必要がないので、受け取り者の端末８からは、商品選択信号とは別の受け取り確認信号を送信する必要がある。
例えば、サーバーＳのデータ処理部３は、受け取り者の端末から入力されたカードＩＤが有効であって、未使用であるという受け取り確認信号の受け付け条件を満足していると判定した場合に、そのカードＩＤに対応付けられた商品金額特定情報や、商品の説明情報などを贈り物の情報として端末８に表示させるとともに、この贈り物情報を見たことを画面上でチェックさせ、それを受け取り確認信号として受信するようにしてもよい。
【００４５】
さらに、贈り物として、現金を送ることもできるが、その場合には、贈り物金額特定情報は金額のみとなる。そして、現金は、受け取り者の口座に振替えるようにすることもできる。口座振替を利用する場合には、上記宛先情報に振替先の口座特定情報を含んで自動的に、その口座へ振替えるようにするか、受け取り者の端末８に、口座指定の画面を表示させ、受け取り者に受け取り口座を入力させるようにしてもよい。ただし、受け取り者に口座を指定させる場合には、指定された口座の名義が、予め、カード購入者が登録した宛名情報の氏名と一致した場合にのみ、受け付けるようにする。
また、受け取り者が、カード１を持って特定のカード取扱店で現金を受け取れるようにしてもよい。この場合には、カード取扱店では、サーバーＳに問い合わせ、カードＩＤが有効であることともに、カードの持参者が宛名情報と一致することを確認してから、現金を渡すようにすれば、不正者にカードを利用されることを防止できる。
【００４６】
上記実施形態のシステムでは、カードの販売時に、サブＩＤを発行するとともに、そのサブＩＤをカードＩＤに対応付けて登録している。このサブＩＤは、カード購入者に対して発行されたもので、購入者が代金を払ったことを証明するものである。従って、カード購入者は、このサブＩＤを提示することによって、正規のカード購入者であることを証明することもできる。
また、データ処理部３は、サブＩＤによって情報の要求が合った場合、入力されたサブＩＤに対応してカードデータ記憶部４に登録されている情報を出力する機能を備えている。
【００４７】
特に、カードＩＤの有効期限が過ぎた場合には、カードＩＤは無効になり、カードＩＤに基づいてサーバーＳにアクセスしても、情報登録はもちろん、情報の提示を受けることもできないが、その場合でも、サブＩＤに基づいて情報の要求が有った場合には、データ処理部３が、サブＩＤに対応する情報を提示する機能を備えている。
そのため、カード購入者は、カードを郵送してしまって、カードが手元に残っていない場合であっても、しかも、カードＩＤが無効になっても、サブＩＤを用いてサーバーＳにアクセスすれば、自分が購入したカードに関連する情報を見ることができる。
【００４８】
さらに、データ処理部３は、サブＩＤが入力されたとき、カードデータ記憶部４が記憶している上記サブＩＤに対応する情報のうち、カード有効期限が経過した無効のカードＩＤであって、受け取り確認信号が対応付けられていない、すなわち、未使用のカードＩＤを特定し、そのカードＩＤに対応付けられた情報を特定して出力する機能を備えている。つまり、未使用のまま、カード有効期限が過ぎて無効になってしまったカードがあった場合、サブＩＤに基づいて、その情報を知ることができる。
【００４９】
そして、上記抽出されたカードＩＤに対応付けられた商品金額などの贈り物金額特定情報から、カード購入者が贈り物代金として支払ったのに、贈り物としては届かなかった金額を特定できる。このような金額の特定を、例えば、カード販売店で行い、上記贈り物代金をカード購入者に返却するようにしてもよい。このとき、販売店では、手数料を差し引くなどの取り決めをしてもかまわない。
特にデータ処理部３が、未使用で無効になったカードの贈り物金額特定情報から、商品金額などの合計を、サブＩＤごとに合計して出力すれば、カード購入者は、設定したのに贈り物として使用されなかった金額を、より簡単に把握できる。
また、上記金額をカード購入者へ返却するのではなく、新たに贈り物用として設定することができるようにしてもよい。例えば、上記使用されなかった金額を、贈り物金額特定情報として新たなカードＩＤに対応付けたり、無効になったカードＩＤを有効にしたりする。
【００５０】
上記のように、このシステムでは、カードの有効期限を設定しているので、その有効期限を過ぎたカードは、正規の受け取り者であっても利用することができない。このように、有効期限を設けたのは、カード購入者からの贈り物が、必要なタイミングで受け取り者へ届くようにするためである。受け取ったカードを無期限で利用できるようにしたのでは、贈り手の目的が曖昧になってしまうとともに、商品配送システム側での、商品の準備も難しくなってしまうからである。
【００５１】
しかし、このようにカード有効期限を設定すると、有効期限が過ぎれば、カード購入者はカードの購入時に贈り物の代金も合わせて支払っているのにもかかわらず、送られたカード１に対応付けられた贈り物は、誰にも贈られないことになるが、サブＩＤを利用すれば、上記のようにして、カード購入者に贈り物代金を返却することもでき、カード購入者がより安心して利用できるシステムとなる。
【００５２】
また、上記サブＩＤは、正規のカード購入者を証明する情報となるので、例えば、一旦登録した贈り物金額特定情報や宛名情報などを、カードＩＤとともにサブＩＤを入力したときに限り、修正できるようにしてもよい。
さらに、サブＩＤを受け取り者に知らせて、パスワードのようにして利用することもできる。例えば、上記したように、カードの受け取り者が、取扱店で現金を受け取るようにした場合にも、上記宛名情報と本人との一致を確認するだけでなく、サブＩＤの提示も求めるようにすれば、本人確認がより確実にできる。
さらにまた、情報の提示を贈り物とした場合、データ処理部３は、カードＩＤに基づいてサーバーＳにアクセスした受け取り者に、サブＩＤの入力を求め、入力されたサブＩＤが、上記カードＩＤに対応付けられたサブＩＤと一致したときにのみ、情報を提示するようにしてもよい。
【００５３】
また、上記実施形態のシステムでは、贈り物の送り先である宛名情報を、一旦登録したら変更できないようにしているので、カード購入者が登録した後、例えば、カードの配達経路でカード１を盗んだ者が、宛先を自分に変えることはできないため、カードを不正に手に入れた者が、受け取り者に成りすまして贈り物を手に入れることはできない。また、不正者であっても、商品選択信号などの受け取り確認信号を入力すれば、正規の受け取り者へ贈り物が届くことになる。従って、パスワードのやり取りなどの手間もなく、カードの不正使用を防止することができる。
【００５４】
さらに、宛先入力期限を設けているので、カード購入者が宛先情報を登録する前に、カードを盗まれてしまったとしても、入力期限内でなければ、サーバーＳが、宛先情報を受け付けないので、不正使用を減らすこともできる。
つまり、カード購入者は、購入した個々のカードに速やかに宛名情報を対応付けて登録するようにすれば、不正者に贈り物を横取りされる危険はほとんどなくなる。
なお、上記実施形態では、データ処理部３、カードデータ記憶部４、商品情報記憶部５を、サーバーＳに設けているが、各構成要素は別々に設けてもよい。
【図面の簡単な説明】
【００５５】
【図１】実施形態のカードシステム構成図である。
【図２】カードデータ記憶部が記憶しているデータ例である。
【図３】実施形態のシステムで使用するカードである。
【符号の説明】
【００５６】
１      カード（はがき）
２      二次元コード
３      データ処理部
４      カードデータ記憶部
５      商品情報記憶部
【図１】
2008110540.tif 000003
【図２】
2008110540.tif 000004
【図３】
2008110540.tif 000005